(57)【要約】      （修正有）【課題】鉄筋等の複数の棒状体を容易に結束できる結束具およびより効率の上がる結束タッカーを提供する。【解決手段】複数の棒状体を結束する結束具１は、略半円弧状の２つの結束片２を備え、各結束片の一方の端部３同士を枢支連結した枢支部４を有し、各結束片の他方の端部５同士を係合自在とする係合部を有し、他方の端部同士を係合することで外観視略楕円状の環状となるように構成した。また、結束タッカーは、ホルダーに結束具の枢支部４を上方とした状態で各挟持片の案内溝に拡径させた状態の結束具を並列に複数挿入し、上部レバーを下に押し下げ、ガイド部により楕円状の環状に構成されるようにした。【選択図】図１
0003204746.tif 000002
【実用新案登録請求の範囲】
【請求項１】
複数の異形鉄筋等の棒状体を結束する結束具であって、
略半円弧状の２つの結束片を備え、
前記各結束片の一方の端部同士を枢支連結した枢支部を有し、
前記各結束片の他方の端部同士を係合自在とする係合部を有し、
前記係合部により前記他方の端部同士を係合することで外観視略楕円状の環状となるように構成したことを特徴とする結束具。
【請求項２】
前記各結束片の表面には複数の細かい凹凸をなす凹凸部を形成したことを特徴とする請求項１に記載の結束具。
【請求項３】
前記各結束片の中途部には前記各結束片の外径よりも大きな外径で外方に突出したガイド部を形成したことを特徴とする請求項１または請求項２に記載の結束具。
【請求項４】
前記結束具１を、結束タッカーホルダ１００−の案内溝１０２の内部に各狭持片１０１の枢支部４を上方とした状態で、各挟持片１０１の案内溝１０２に拡径させた結束具１を複数装着した状態で２本の異形鉄筋等の棒状体を結束する請求項１から請求項３のいずれか１項に記載の結束具と結束カッター。
【請求項５】
前記結束タッカーＢは、結束具１を使用し、該この結束具１の枢支部４を上方にし、各挟持片１０１の案内溝１０２に拡径させた状態の略半円弧状の２つの結束片２を備えた結束具１を並列に複数挿入し、結束タッカーＢで結束する２本の異形鉄筋等の棒状体に挿入し、各結束片２の一方の端部３同士を枢支連結した枢支部４で、各結束片２の他方の端部５同士を係合自在とする係合部を有し、係合部により他方の端部５同士を結束タッカーＢの上部レバー１０３でガイド部１０４を下部方向に下げ、楕円状の環状１０５となるように構成したことを特徴とする請求項１から請求項４のいずれか１項に記載の結束具と結束タッカー。
【考案の詳細な説明】
【技術分野】
【０００１】  本考案は、建築又は土木現場において平行に、或は交差するように配置された複数本の異形鉄筋等の棒状体を容易に結束することができる結束具及び結束タッカーに関する。
【背景分野】
【０００２】  従来より、建物の床面や壁面等には打設するコンクリートの強度向上を図るために複数の異形鉄筋等を交差させ格子状に配設した上でコンクリートを打設している。その際、交差する異形鉄筋同士を接続するには結束線や番線と呼ばれるなまし鉄線の針金を手ハッカーやシノ工具と呼ばれる先端部を鉤状とした工具を用いて巻着し結束してる。
【０００３】  また、結束作業は人手による針金の位置合わせや引き回しの後、手ハッカー等により人手によって巻着するため、複数の格子を形成する複数の異形鉄筋の交差点の全てを巻着するのに多大な労力を要していた。
【０００４】  そこで、コ字状に形成された複数の結束線材を予めホルダー内に収納した鉄筋結束用工具により、鉄筋の交差点で該工具を操作することで結束材のコ字状の開放端が鉄筋を囲繞しながらカシメられ異形鉄筋等を結束可能とする技術が開示されている（例えば、特許文献１参照）。
【先行技術文献】
【特許文献】
【０００５】
【特許文献１】実開平５−４５１４７号公報
【特許文献２】実用新案登録第３２００３０３号（本実用新案権者）
【考案の概要】
【考案を解決するための課題】
【０００６】  確かに、特許文献１に係る異形鉄筋等結束用工具は、鉄筋の交差点を該工具の操作のみで結束することができるので結束作業にかかる労力を大幅に軽減できる点で優れている。
【０００７】  しかしながら、結束線材はカシメによる塑性変形を伴いながら鉄筋を結束するので、一度鉄筋に結束させた結束線材を取り外すことは非常に困難であり、コンクリート打設前の鉄筋の配置変更に柔軟に対応することはできず、しかも、取り外した結束線材を再利用することもできなかった。
【０００８】  また、該工具は複数の結束線材を収納しながら結束線材を鉄筋の交差点に打ち出す機構や、結束線材を順次送り出す機構等を備えており、複雑な構造であることから高価でしかも故障の心配を有しており、万一、施工現場で該工具が故障した際にはコ字状の専用の結束線材を鉄筋の交差点に手作業で結束させることはできず、作業信頼性の面でも問題があった。
【０００９】  更に、複雑な構造であることから重量の面でも問題を有しており、しかも、複数の結束線材をホルダー内に収納することで該工具からホルダーが大幅に突出した外形となるので該工具の取り回しが非常に煩雑で疲労を伴うものとなっていた。
【００１０】  この考案は、以上のような事情に鑑みてなされたものであり、安価で、小型な結束タッカーにより結束具を複数の異形鉄筋等を棒状体に容易に結束できる結束タッカーの提供と、結束具の再利用を可能とした結束具を提供することにある。
【問題を解決するための手段】
【００１１】  以上のような目的を達成するために、本考案は以下のようなものを提供する。
【００１２】  請求項１に係る考案では、複数の異形鉄筋等の棒状体を結束する結束具であって、略半円弧状の２つの結束片を備え、前記各結束片の一方の端部同士を枢支連結した枢支部を有し、前記各結束片の他方の端部同士を係合自在とする係合部を有し、前記係合部により前記他方の端部同士を係合することで外観視略楕円状の環状となるように構成したことを特徴とする結束具を提供せんとする。
【００１３】  請求項２に係る考案では、前記各結束片の表面には複数の細かい凹凸をなす凹凸部を形成したことを特徴とする請求項１に記載の結束具を提供せんとする。
【００１４】  請求項３に係る考案では、前記各結束片の中途部には前記各結束片の外径よりも大きな外径で外方に突出したガイド部を形成したことを特徴とする請求項１または請求項２に記載の結束具を提供せんとする。
【００１５】  請求項４に係る考案では、前記結束具を装着して複数の異形鉄筋等の棒状体を結束する結束カッターであって、前記結束具の結束が容易にでき、克能率の上がることを安価に製造でき、小型なことを特徴とする結束カッターを提供せんとする。
【００１６】  請求項５に係る考案では結束カッターは、結束具を使用し、該この結束具を結束タッカーのホルダー１００に結束具１の枢支部４を上方とした状態で各挟持片１０１の案内溝１０２に拡径させた状態の結束具１を並列に複数装着し結束タッカーの上部レバー１０３をガイド部１０４で下に押し下げ、楕円状の環状１０５に構成されることを特徴とする結束タッカーを提供せんとする。
【考案の効果】
【００１７】  請求項１記載の考案によれば、複数の棒状体を結束する結束具であって、略半円弧状の２つの結束片を備え、各結束片の一方の端部同士を枢支連結した枢支部を有し、各結束片の他方の端部同士を係合自在とする係合部を有し、係合部により他方の端部同士を係合することで外観視略楕円状の環状となるように構成したことにより、棒状体の結束に際して枢支部を起点として各結束片の他方の端部側を離間するように拡径し、拡径した各結束片の内側に棒状体を近接しつつ各結束片を縮径して係合部により係合するだけで人手により容易に結束作業を行うことができる。しかも、一度結束した結束具を容易に取り外して再利用することができる。
【００１８】  請求項２記載の考案によれば、各結束片の表面には複数の細かい凹凸をなす凹凸部を形成したことにより、凹凸部が滑り止めとなり、棒状体の結束に際して手指が馴染み易くなり作業性が向上するばかりでなく、当接する棒状体の外表面との間の摩擦力が高まり、より強固な結束が可能となる。
【００１９】  請求項３記載の考案によれば、各結束片の中途部には各結束片の外径よりも大きな外径で外方に突出したガイド部を形成したことにより、棒状体の結束に際して、枢支部を起点として各結束片の他方の端部側を離間するように拡径する際、ガイド部に手指がかかり易くなり拡径作業が容易となり、しかも、拡径した各結束片の内側に棒状体を近接しつつ各結束片を縮径して係合部により係合する際にもガイド部に手指がかかり易くなり縮径作業（係合作業）が容易となる。
【００２０】  また、ガイド部は後述する結束工具に結束具を装着する際に位置決め基準となり得るので、結束工具への結束具の装着作業性を向上させることができる。
【００２１】  請求項４記載の考案によれば、上述した結束具を装着して複数の棒状体を結束する結束タッカーであって、一方の端部側に挟持片を備え他方の端部側にも挟持片を備えた２つの連結工具片を中途部で枢支連結し、各挟持片を近接・離反自在に対向配置して挟持部を形成し、各挟持片を近接・離反自在に対向配置して把持部を形成し、各挟持片の内側面には結束具の外側面を挿入自在の案内溝を形成したことにより、案内溝に結束具の外側面を挿入するだけで結束タッカーへの結束具の装着を容易に行うことができ、しかも、装着された結束具は、２つの把持片が近接するようにレバー部を下に操作することで複数の異形鉄筋等の棒状体を囲繞しながら縮径して棒状体を容易に結束することができる結束タッカーである。
【００２２】  請求項５記載の考案によれば、各挟持片の先端部を分岐して結束具の外側面を挟持自在の案内突起を形成したことにより、案内突起間に結束具の外側面を挿入するだけで結束カッターへの結束具の装着を容易に行うことができ、しかも、装着された結束は２つの挟持片が近接するように上部レバーを下に押すことで、ガイド部が複数の異形鉄筋等を棒状体を縮径して楕円状の環状に容易に結束することができ、最終的には、この結束タッカーで連続結束が可能になる。
【図面の簡単な説明】
【００２３】
【図１】（ａ）は本考案の実施形態に係る結束具の正面図と部分拡大図で、（ｂ）は（ａ）のＡ−Ａ断面図で、（ｃ）は（ａ）のＢ−Ｂ断面図である。
【図２】結束タッカーの正面図
【図３】平面図
【図４】左側面結束タッカーの断面図
【図５】結束完了図
【図６】結束タッカーの結束方法
【図７】結束タッカーの結束実施例
【符号の説明】
【００２４】Ａ  棒状体（異形鉄筋）
１  結束具
２  結束片
３  一方の端部
４  枢支部
５  他方の端部
６  係合部
１０  凸凹部
１１  結束具の外側面
１５  ガイド部
Ｂ  結束タッカー
１００  結束タッカーホルダー
１０１  各挟持片
１０２  案内溝
１０３  上部レバー
１０４  ガイド部
１０５  楕円状の環状
【図１】
0003204746.tif 000003
【図２】
0003204746.tif 000004
【図３】
0003204746.tif 000005
【図４】
0003204746.tif 000006
【図５】
0003204746.tif 000007
【図６】
0003204746.tif 000008
【図７】
0003204746.tif 000009
【図８】
0003204746.tif 000010
【図９】
0003204746.tif 000011
【図１０】
0003204746.tif 000012
【手続補正書】
【提出日】平成28年3月22日(2016.3.22)
【手続補正１】
【補正対象書類名】実用新案登録請求の範囲
【補正対象項目名】全文
【補正方法】変更
【補正の内容】
【実用新案登録請求の範囲】
【請求項１】
複数の異形鉄筋等の棒状体を結束する結束具であって、
略半円弧状の２つの結束片を備え、
前記各結束片の一方の端部同士を枢支連結した枢支部を有し、
前記各結束片の他方の端部同士を係合自在とする係合部を有し、
前記係合部により前記他方の端部同士を係合することで外観視略楕円状の環状となるように構成したことを特徴とする結束具。
【請求項２】
前記各結束片の表面には複数の細かい凹凸をなす凹凸部を形成したことを特徴とする請求項１に記載の結束具。
【請求項３】
前記各結束片の中途部には前記各結束片の外径よりも大きな外径で外方に突出したガイド部を形成したことを特徴とする請求項１または請求項２に記載の結束具。
【請求項４】
前記結束具１を、結束タッカーホルダ１００ーの案内溝１０２の内部に各狭持片１０１の枢支部４を上方とした状態で、各挟持片１０１の案内溝１０２に拡径させた結束具１を複数装着した状態で２本の異形鉄筋等の棒状体を結束する請求項１から請求項３のいずれか１項に記載の結束具を備えた結束タッカー。
【請求項５】
前記結束タッカーＢは、結束具１を使用し、該この結束具１の枢支部４を上方にし、
各挟持片１０１の案内溝１０２に拡径させた状態の略半円弧状の２つの結束片２を備えた結束具１を並列に複数挿入し、結束タッカーＢで結束する２本の異形鉄筋等の棒状体に挿入し、各結束片２の一方の端部３同士を枢支連結した枢支部４で、各結束片２の他方の端部５同士を係合自在とする係合部を有し、
係合部により他方の端部５同士を結束タッカーＢの上部レバー１０３でガイド部１０４
を下部方向に下げ、楕円状の環状１０５となるように構成したことを特徴とする請求項１から請求項４のいずれか１項に記載の結束具を備えた結束タッカー。
【手続補正２】
【補正対象書類名】明細書
【補正対象項目名】００２３
【補正方法】変更
【補正の内容】
【００２３】
【図１】（ａ）は本考案の実施形態に係る結束具の正面図と部分拡大図で、（ｂ）は（ａ）のＡ−Ａ断面図で、（ｃ）は（ａ）のＢ−Ｂ断面図である。
【図２】結束タッカーの正面図
【図３】平面図
【図４】左側面結束ターカーの側面図
【図５】結束完了図
【図６】結束タッカーの結束方法
【図７】結束タッカーの結束実施例
【図８】結束リングと結束タッカー
【図９】施工例
【図１０】手ハッカーと結束・結束タッカー